(57)【要約】【課題】電子機器間に相互に干渉を起こさず、安価で、且つ簡単に電子機器の遠隔制御が可能な遠隔制御システムおよび遠隔制御システムの制御方法を提供する。【解決手段】 本発明に係る無線制御システムの制御方法は、電子機器本体に電源が印加されると、第１無線制御信号が入力される時まで待機するステップ（Ｓ１３０）と、第１無線制御信号の入力時、第１無線制御信号に含まれた固有コードを保存し基準コードを設定するステップ（Ｓ１４０）と、新たな無線制御信号である第２無線制御信号の入力を監視するステップ（Ｓ１５０）と、第２無線制御信号の入力時、第２無線制御信号に含まれた固有コードと基準コードとが一致するかを確認するステップ（Ｓ１６０）と、第２無線制御信号の固有コードと基準コードとが一致すると、第２無線制御信号に対応すべく、電子機器の駆動を制御し、固有コードと基準固有コードとが一致しなければ、第２無線制御信号を無視し、新たな第２無線制御信号が入力される時までに待機するステップ（Ｓ１７０）と、を含む。【選択図】   図３
2007159086.tif 000002
【特許請求の範囲】
【請求項１】
電子機器本体の駆動を遠隔的に制御するための遠隔制御システムであって、
ユーザの操作に対応する無線制御信号を出力するリモコンと、
前記無線制御信号を受信すべく、前記電子機器本体に設けられる信号受信部と、
前記信号受信部に入力される前記無線制御信号に対応するよう、前記電子機器本体の駆動を制御する第１マイコンと、
前記電子機器本体と外部常用電源との接続直後、前記信号受信部に入力される第１無線制御信号に含まれた固有コードを基準コードとして自動的に保存されるよう、前記第１マイコンによって制御される第１メモリ部と、を備え、
前記第１マイコンは、前記基準コードの設定完了後に、前記基準コードと一致する固有コードが含まれた無線制御信号にのみ対応して前記電子機器本体の駆動を制御することを特徴とする遠隔制御システム。
【請求項２】
前記第１メモリ部が、前記電子機器本体と前記外部常用電源の遮断時に保存されているデータが自動削除されるＲＡＭとして、前記第１マイコンに内蔵されることを特徴とする請求項１に記載の遠隔制御システム。
【請求項３】
前記電子機器本体に設けられ、ユーザの操作時に操作信号を前記第１マイコンで出力するリセット操作キーを更に備え、
前記第１マイコンは、前記リセット操作キーから操作信号が入力されると、前記第１メモリ部に保存された基準コードを削除し、前記基準コードの削除直後に最初入力される前記無線制御信号に含まれた固有コードを基準コードとして再度設定することを特徴とする請求項１または２に記載の遠隔制御システム。
【請求項４】
前記リモコンが、
ユーザの操作時に操作信号を入力する操作パネルと、
前記無線制御信号を出力する信号送信部と、
前記リモコンの電源が遮断された後、電源が再印加されるたびに任意の固有コードを生成させる固有コード生成部と、
前記固有コードが保存された状態で、前記リモコンの電源が再印加されることによって新たな固有コードが生成された場合、既に保存されている固有コードの代わりに前記新たな固有コードが保存される第２メモリ部と、
前記操作信号の入力時に、前記操作信号に対応する前記無線制御信号に前記固有コードが含まれた状態で出力されるべく制御する第２マイコンと、
を備えることを特徴とする請求項１ないし３のいずれかに記載の遠隔制御システム。
【請求項５】
前記第２メモリ部は、リモコン電源の遮断時に保存されたデータが削除されるＲＡＭとして前記第２マイコンに内蔵され、
前記リモコンと前記電子機器本体は別の電源により駆動されることを特徴とする請求項４に記載の遠隔制御システム。
【請求項６】
前記第２メモリ部と前記固有コード生成部は、前記第２マイコンに一体的に内蔵されることを特徴とする請求項４に記載の遠隔制御システム。
【請求項７】
電子機器本体の駆動を遠隔的に制御するための遠隔制御システムの制御方法であって、
ａ）前記電子機器本体に電源が印加されると、第１無線制御信号が入力される時まで待機するステップと、
ｂ）前記第１無線制御信号の入力時、前記第１無線制御信号に含まれた固有コードを保存し基準コードを設定するステップと、
ｃ）新たな無線制御信号である第２無線制御信号の入力を監視するステップと、
ｄ）前記第２無線制御信号の入力時、前記第２無線制御信号に含まれた固有コードと前記基準コードとが一致するかを確認するステップと、
ｅ）前記第２無線制御信号の固有コードと前記基準コードとが一致すると、前記第２無線制御信号に対応すべく、前記電子機器の駆動を制御してから前記ｃ）ステップに戻り、前記固有コードと前記基準コードとが一致しなければ直ちにｃ）ステップに戻るステップと、
を含むことを特徴とする遠隔制御システムの制御方法。
【請求項８】
前記電子機器本体の電源が遮断された場合、設定された基準コードが自動的に削除されることを特徴とする請求項７に記載の遠隔制御システムの制御方法。
【請求項９】
前記基準コードの再設定命令入力を監視するステップと、
前記再設定命令の入力時、前記基準コードを削除してから新たな無線制御信号に含まれた固有コードを新たな基準コードとして再設定するステップと、
を含むことを特徴とする請求項７または８に記載の遠隔制御システムの制御方法。
【請求項１０】
前記基準コードの再設定命令入力は、前記電子機器本体に設けられたリセット操作キーの操作により行われることを特徴とする請求項９に記載の遠隔制御システムの制御方法。
【請求項１１】
前記無線制御信号がＲＦ信号であることを特徴とする請求項９に記載の遠隔制御システムの制御方法。
【発明の詳細な説明】
【技術分野】
【０００１】
本発明は、遠隔制御システムに関し、詳細には電子機器の遠隔制御のための遠隔制御システムおよび遠隔制御システムの制御方法に関する。
【背景技術】
【０００２】
通常、電子機器の遠隔制御のための遠隔制御システムは、無線制御信号を出力するリモコン部と、無線制御信号を受信する制御部へ制御信号を出力し、電子機器の駆動を制御する信号受信部と、を備える。係るリモコンと信号受信部は、光信号、あるいはＲＦ（Ｒａｄｉｏ  Ｆｒｅｑｕｅｎｃｙ）信号を用いて互いに信号送受信可能に接続される。
【０００３】
このうち光信号を用いる遠隔制御システムは、信号受信部の光信号の入力が可能な所定位置にリモコンが配置されなければ電子機器の遠隔制御が不可能であるという問題がある。係る問題点により、ユーザと電子機器本体が移動中に信号送受信される真空掃除機などの電子機器には、前述した光信号を用いる遠隔制御システムの適用が容易でないという問題がある。
【０００４】
一方、ＲＦ信号を用いる場合、無線制御信号の送受信範囲が光信号を用いる遠隔制御システムより幅広いという長所を有するが、同一のＲＦ信号の信号受信領域内に遠隔制御システムが適用された電子機器が複数設置された場合、電子機器が他の電子機器の無線制御信号に反応してしまい、電子機器間に干渉が生じる恐れがある。
【０００５】
前述した問題を解決するためには、一対のリモコンと電子機器との間で送受信される無線制御信号に、電子機器およびリモコンの識別が可能な固有コードを含ませる方法に基づいて使用するのが一般的である。しかし、前述した方法は、リモコンおよび電子機器それぞれに前記固有コードを記憶するＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）のような、高価なメモリ素子を備えなければならない。係る遠隔制御システムが、映像／音響電子機器のような複雑な遠隔制御システムを必要とする電子機器に採用される場合、電子機器の複雑な機能を具現するための高価なメモリ素子に単に固有コードの記憶機能さえ加えれば済むことから、前述した遠隔制御システムの適用が容易に行われる。しかしながら、比較的単純な遠隔制御のみが必要な真空掃除機１００（図１参照）のような小型電子機器には、前述した遠隔制御システムが適用される場合、必要以上に製品の製造コストが上昇する問題がある。
【特許文献１】韓国特許公開２００５−００１８１５９号公報
【特許文献２】韓国特許登録番号０２４５１６７号
【発明の開示】
【発明が解決しようとする課題】
【０００６】
本発明は前述した問題点を解決するために案出されたもので、本発明の目的は、電子機器間に相互干渉を起こさず、安価で、且つ簡単に電子機器の遠隔制御が可能な遠隔制御システムおよび遠隔制御システムの制御方法を提供することにある。
【課題を解決するための手段】
【０００７】
前述した目的を達成するための本発明に係る遠隔制御システムは、電子機器本体の駆動を遠隔的に制御するための遠隔制御システムであって、ユーザの操作に対応する無線制御信号を出力するリモコンと、前記無線制御信号を受信すべく、前記電子機器本体に設けられる信号受信部と、前記信号受信部に入力される前記無線制御信号に対応するよう、前記電子機器本体の駆動を制御する第１マイコンと、前記電子機器本体と外部常用電源との接続直後、前記信号受信部に入力される第１無線制御信号に含まれた固有コードを基準コードとして自動的に保存されるよう、前記第１マイコンによって制御される第１メモリ部と、を備え、前記第１マイコンは、前記基準コードの設定完了後に、前記基準コードと一致する固有コードが含まれた無線制御信号にのみ対応して前記電子機器本体の駆動を制御することを特徴とする。
【０００８】
これにより、高価なメモリ素子を使用しないことにより、遠隔制御システムの製造コストを節減することができる。また、基準コードの設定が掃除機本体の電源印加時に簡単に行われるので製品の制御も単純化される。
【０００９】
本発明の好適な実施形態によると、前記第１メモリ部が、前記第１マイコンに内蔵され、前記電子機器本体と前記外部常用電源の遮断時に保存されているデータが自動削除されるＲＡＭであることが好ましい。
【００１０】
そして、前記遠隔制御システムが、前記電子機器本体に設けられ、ユーザの操作時に操作信号を前記第１マイコンで出力するリセット操作キーを更に備え、前記第１マイコンは、前記リセット操作キーから操作信号が入力されると、前記第１メモリ部に保存された基準コードを削除し、前記基準コードの削除直後に最初入力される前記無線制御信号に含まれた固有コードを基準コードとして再度設定することが好ましい。
【００１１】
一方、前記リモコンが、ユーザの操作時に操作信号を入力する操作パネルと、前記無線制御信号を出力する信号送信部と、前記リモコンの電源が遮断された後、電源が再印加されるたびに任意の固有コードを生成させる固有コード生成部と、前記固有コードが保存された状態で、前記リモコンの電源が再印加されることによって新たな固有コードが生成された場合、既に保存されている固有コードの代わりに前記新たな固有コードが保存される第２メモリ部と、前記操作信号の入力時に、前記操作信号に対応する前記無線制御信号に前記固有コードが含まれた状態で出力されるべく制御する第２マイコンと、を備えることが好ましい。
【００１２】
ここで、前記第２メモリ部と前記固有コード生成部は、第２マイコンに一体的に内蔵されることが好ましい。
【００１３】
また、前記第２メモリ部は、リモコンの電源の遮断時に保存されたデータが削除されるＲＡＭとして前記第２マイコンに内蔵され、前記リモコンと前記電子機器本体は別の電源により駆動されることが好ましい。
【００１４】
一方、本発明に係る他の側面による遠隔制御システムの制御方法によると、ａ）前記電子機器本体に電源が印加されると、第１無線制御信号が入力される時まで待機するステップと、ｂ）前記第１無線制御信号の入力時、前記第１無線制御信号に含まれた固有コードを保存し基準コードを設定するステップと、ｃ）新たな無線制御信号である第２無線制御信号の入力を監視するステップと、ｄ）前記第２無線制御信号の入力時、前記第２無線制御信号に含まれた固有コードと前記基準コードとが一致するかを確認するステップと、ｅ）前記第２無線制御信号の固有コードと前記基準コードとが一致すると、前記第２無線制御信号に対応すべく、前記電子機器の駆動を制御してから前記ｃ）ステップに戻り、前記固有コードと前記基準コードとが一致しなければ直ちにｃ）ステップに戻るステップと、を含むことを特徴とする。
【００１５】
本発明の好適な実施形態によると、前記電子機器本体の電源が遮断された場合、設定された基準コードが自動的に削除されてから、ａ）ステップに復帰するか、前記ａ）ステップにて前記第１無線制御信号の入力監視は前記電子機器本体の印加時に前記第１メモリ部に保存された基準コードを削除してから行われることが好ましい。
【００１６】
また、本発明に係る遠隔制御システムの制御方法は、前記基準コードの再設定命令入力を監視するステップと、前記再設定命令の入力時、前記基準コードを削除してから新たな無線制御信号に含まれた固有コードを新たな基準コードとして再設定するステップと、を含むことが好ましい。
【００１７】
ここで、前記基準コードの再設定命令入力は、前記電子機器本体に設けられたリセット操作キーの操作により行われることが好ましい。
【００１８】
なお、前記無線制御信号がＲＦ信号であることが最も好ましい。
【発明の効果】
【００１９】
本発明に係る遠隔制御システムによると、遠隔制御システムを電子機器間の干渉なしに使用することができるので、リモコンが用いられる電子機器本体の制御を容易に行うことが可能である。
【００２０】
それと共に、基準コードの設定がユーザによる別の操作および駆動プロセスによって行われず、電子機器の電源印加に応じて自動的に行われるので、遠隔制御システムの駆動プロセスが単純になると同時に、遠隔制御システムの製造コストが節減される。
【発明を実施するための最良の形態】
【００２１】
以下、添付の図面に基づいて本発明の好適な実施形態を詳述する。
【実施例】
【００２２】
図１は、本発明の一実施の形態に係る遠隔制御システムが適用された真空掃除機１００について一例を示す概略図であり、図２は本発明の一実施の形態に係る遠隔制御システムの構造を示すブロック図である。これに基づいて説明すると、本実施の形態に係る遠隔制御システムは、ユーザの操作による無線制御信号を出力するリモコン２００と、前記無線制御信号が入力されるよう掃除機本体１０に設けられる信号受信部１４０と、を備える。
【００２３】
本実施の形態に係るリモコン２００は、真空掃除機１００のハンドル部２０に設けられる。本リモコン２００は、操作パネル２３０と、信号送信部２２０と、第２メモリ部２４０と、固有コード生成部２５０と、第２マイコン２１０と、を備える。
【００２４】
操作パネル２３０は、ユーザの操作信号入力が可能な複数の操作キー２３１を含む。本実施の形態における操作キー２３１は、真空掃除機１００のハンドル部２０外部に露出すべく配置され、ハンドル部２０を把持した状態で真空掃除機１００を使用中に掃除機本体１０の制御を容易にする。
【００２５】
信号送信部２２０は、前記操作信号の入力時に、第２マイコン２１０の制御により無線制御信号を生成して外部へ出力する。本実施の形態では、前述した通り、外部に出力される信号がＲＦ信号であることから、信号送信部２２０はＲＦ信号の出力が可能な形で形成される。
【００２６】
一方、前述した通り、リモコン２００から出力される無線制御信号には第２メモリ部２４０に保存された固有コードが含まれている。この固有コードは、掃除機本体１０にてリモコン２００の認識を可能にするためのものである。固有コードは、操作キー２３１の操作により入力される任意の数字で生成する。本実施の形態では、固有コード生成部２５０を用いて固有コードを生成させる。固有コード生成部２５０は、リモコン２００に電源が印加される度に駆動され、乱数処理を通じて任意の数字からなっている固有コードを生成する。この場合、第２メモリ部２４０は、リモコン２００の電源が遮断され保存された固有コードが削除された後、リモコン２００に電源が印加されると、直ちに固有コード生成部２５０で生成された固有コードが保存されるよう構成することが好ましい。このような第２メモリ部２４０のデータ削除駆動は、前記電源の印加に対応して第２マイコン２１０によって制御される。本実施の形態では、ＲＡＭ（Ｒａｎｄｏｍ  Ａｃｃｅｓｓ  Ｍｅｍｏｒｙ）のように、電源供給が遮断されると保存されたデータが削除されるメモリ素子を、第２メモリ部２４０に使用する。従って、前述した固有コードを削除するための別の制御が不要になる。係る第２メモリ部２４０によると、リモコン２００の電源遮断時にもデータの損失がないＥＥＰＲＯＭのような高価なメモリ素子を安価のＲＡＭで代替することで、リモコン２００の製造コスト上昇を抑えると同時に、リモコン２００の駆動制御の簡略化を容易にする。
【００２７】
本実施の形態におけるリモコン２００は、別途乾電池（図示せず）を取り付けることによって、掃除機本体１０の電源印加に係わらず電源が印加されるよう構成することが好ましい。
【００２８】
これによると、リモコン２００と掃除機本体１０を電源供給可能に接続させるケーブルなどを、フレキシブルホース３０（図１参照）へ設置することが省略できる。これにより、真空掃除機の製造コスト節減が可能となると共に、フレキシブルホースの重さも減らし得るので、ユーザが真空掃除機を使用する時、軽減された重さで掃除することができる。
【００２９】
また、本実施の形態における第２メモリ部２４０および固有コード生成部２５０は、第２マイコン２１０に内蔵される形態である。これにより、リモコン２００の構造を簡単にすると同時に、リモコンの製造コストを節減することができる。
【００３０】
一方、真空掃除機本体１０には、無線制御信号の受信のための信号受信部１４０と、第１マイコン１１０が設けられる。本実施の形態では、ＲＦ信号が無線制御信号として使用されるので、信号受信部１４０もリモコン２００の信号送信部２２０と同様に、ＲＦ信号受信が可能な形で形成される。
【００３１】
一方、本実施の形態における第１マイコン１１０は、無線制御信号の入力時、入力された無線制御信号が適切なリモコン２００から出力された信号であるかを確認してから、真空掃除機本体１０内の各種駆動ユニット１２０の駆動を制御する。前述した信号の比較のために、本実施の形態における第１マイコン１１０は、比較部１６０と、第１メモリ部１５０を備えてなる。比較部１６０は、入力された無線制御信号が適した無線制御信号であるかを確認するためのものであり、第１メモリ部１５０には、比較部１６０の比較基準である基準コードが保存されている。これにより、外部から無線制御信号が信号受信部１４０に入力されると、比較部１６０を介して入力された無線制御信号に含まれた固有コードと基準コードとが一致するかを確認した後、固有コードと基準コードとが一致する場合にのみ、第１マイコン１１０により駆動ユニット１２０の制御が行われる。このような第１マイコン１１０は、電源供給部１３０の電源コード（図示せず）が外部常用電源と接続することで作動し、掃除機本体を待機状態に切替える。そして、リモコン２００から無線制御が入力されると、駆動ユニット１２０に電源が印加されるよう駆動制御を実行する。前述したように、比較部１６０と第１メモリ部１５０は、第１マイコン１１０に内蔵されていることから真空掃除機の製造コストを節減することができる。それと共に、第１メモリ部１５０は、第２メモリ部２４０と同様、第１メモリ部１５０への電源が遮断されると内部に保存されたデータが削除されるＲＡＭで形成されることが好ましい。これによると、ＥＥＲＯＭのような高価なメモリ素子を安価なＲＡＭで代替できるので、掃除機本内１０の製造コストの上昇を抑えることができる。
【００３２】
一方、リセット操作キー１７０は、無線制御信号の入力混線によって掃除機本体１０が充分に制御されない場合、簡単に基準コードを再設定するためのものである。このため、リセット操作キー１７０は、第１マイコン１１０と直接信号交換が可能になるよう掃除機本体１０に設けられ、ユーザの操作時に基準コードの再設定要請信号を第１マイコン１１０に出力する。
【００３３】
以下、図３に基づいて本発明の一実施の形態に係る電子機器の遠隔制御システムの作動を説明する。
【００３４】
まず、外部常用電源との接続を介して電源が印加されると（Ｓ１００）、第１マイコン１１０が作動して掃除機本体１０を待機状態に切替える。このような状態で、リモコン２００から最初の無線制御信号である第１無線制御信号が入力されると（Ｓ１３０）、第１マイコン１００は、第１無線制御信号に含まれた固有コードを抽出し第１メモリ部１５０に保存することによって、基準コードを設定する（Ｓ１４０）。前述したように、基準コードの設定が完了すると、新たな無線制御信号である第２無線制御信号の入力有無を監視する（Ｓ１５０）。この状態で、第２無線制御信号が入力されると、第２無線制御信号の固有コードが基準コードと一致するかを確認する（Ｓ１６０）。前記ステップ１６０にて、固有コードと基準コードとが一致する場合、第２無線制御信号に対応するよう、掃除機本体１０の駆動を制御し（Ｓ１７０）、固有コードと基準コードとが一致しない場合には、入力された無線制御信号を無視してＳ１５０に戻る。
【００３５】
係る状態で、ユーザの操作により外部常用電源と掃除機本体の電源が遮断されると（Ｓ１８０，１９０）、第１メモリ部に保存された基準コードを削除してから（Ｓ２００）、プロセスが終了される。その後、掃除機本体１０に新たに電源が印加されると、Ｓ１００に戻る。なお、上記で説明したように、第１メモリ部１５０がＲＡＭで形成されている場合、電源の遮断時、自動的に保存されたデータが削除されるので、既存の基準コードを削除するための別のプロセスが不要になる。因みに、第１メモリ部への電源供給が遮断された状態でも既に保存されたデータが維持される形で形成されている場合、電源供給の後、直ちに第１メモリ部に保存された基準コードを削除してから、Ｓ１３０に進むよう構成することもできる。この場合、第１メモリ部の構成により電子機器の製造コストが上昇する恐れもあるが、電源が供給されるたびに基準コードが変更される場合もあるので、簡単な構成を通じて電子機器の干渉を防止することができる。
【００３６】
一方、図４はリセット操作キー１７０の作動による電源制御システムの作動を示すフローチャートである。リセット操作キー１７０は、基準コードの再設定が必要な場合、ユーザの操作を可能にするためのものであって、掃除機本体１０に電源が印加された状態であれば、いつでもその操作が可能である。係るリセット操作キー１７０の操作による遠隔制御システムの制御方法は次の通りである。リセット操作キー１７０が操作され基準コードの再設定命令が入力されると（Ｓ１１０），第１メモリ部１５０に保存された基準コードが削除される。その後、図３にて説明した基準コードの設定方法と同一であるので、その詳説は省略する。これにより、ユーザが掃除機本体１０と外部常用電源を分離しなくても、容易に基準コードを再設定することができる。
【００３７】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００３８】
【図１】本発明の実施形態に係る真空掃除機を示す斜視図である。
【図２】本発明の実施形態に係る真空掃除機の遠隔制御システムを示すブロック図である。
【図３】本発明の実施形態に係る真空掃除機の遠隔制御システムの駆動方法を説明するためのフローチャートである。
【図４】本発明の実施形態に係る真空掃除機の遠隔制御システムの駆動方法を説明するためのフローチャートである。
【符号の説明】
【００３９】
１０      掃除機本体
２０      ハンドル部
１００      真空掃除機
１１０      第１マイコン
１４０      信号受信部
１５０      第１メモリ部
１６０      比較部
１７０      リセット操作キー
２００      リモコン
２１０      第２マイコン
２２０      信号送信部
２３０      操作パネル
２４０      第２メモリ部
２５０      固有コード生成部
【図１】
2007159086.tif 000003
【図２】
2007159086.tif 000004
【図３】
2007159086.tif 000005
【図４】
2007159086.tif 000006